(57)【特許請求の範囲】
【請求項１】
脚体から立設する支柱の上端に固定枠体を取付け、この固定枠体に、座板を、前傾動自在に枢着し、この座板の下面側と前記固定枠体の上面側との間に、座板の前傾動に対するコイルばねを介挿して成る椅子において、
前記枢着のためのピン軸よりも座板の前側に配置されたコイルばねの上下端を支持する一対のばね受け体に貫通し、且つ前記コイルばね内に挿入した調節レバー軸は、前記固定枠体を貫通してその下面から下方に突出するように挿入し、
この調節レバー軸の上端を、前記座板に対して回動自在に枢着する一方、前記固定枠体の上面のうち前記調節レバー軸が貫通する部分に、前記調節レバー軸の座板に対する枢着部から適宜距離だけずれた部位に中心点を有する円弧面を、当該円弧面が前記調節レバー軸の回動方向に延びるように形成して、この円弧面に、前記コイルばねの固定枠体に対する下部ばね受け体が着脱自在に嵌まり係合する凹所を、円周方向に沿った複数箇所に設けたことを特徴とする椅子における前傾動装置。
【発明の詳細な説明】
【０００１】
【産業上の利用分野】
本発明は、事務等に使用する椅子において、その座板を、コイルばねに抗して前傾動できるようにした装置に関するものである。
【０００２】
【従来の技術と発明が解決しようとする課題】
事務等に使用する椅子において、その座板を、コイルばねに抗して前傾動できるように構成することは、先行技術としての特開平２−１９１０３号公報に記載されている。
しかし、この先行技術のものは、座板の前傾動に対するコイルばねを調節できないような構成になっておらず、座板の前傾動に対するコイルばねによる弾力性を、座る人の体重に合わせることができないから、座り心地が悪いのである。
【０００３】
また、別の先行技術としての実開昭６２−１０９６４６号公報は、座板の前傾動に対するコイルばねを調節できるように構成することを提案しているものの、その調節は、ねじ軸を手で回すことによる調節であるから、その調節を軽い力で迅速に行うことができないと言う問題があった。
本発明は、座板の前傾動に対するコイルばねを調節することが、比較的軽い力で、迅速に行うことができるようにすることを技術的課題とするものである。
【０００４】
【課題を解決するための手段】
この技術的課題を達成するため本発明は、脚体から立設する支柱の上端に固定枠体を取付け、この固定枠体に、座板を、前傾動自在に枢着し、この座板の下面側と前記固定枠体の上面側との間に、座板の前傾動に対するコイルばねを介挿して成る椅子において、前記枢着のためのピン軸よりも座板の前側に配置されたコイルばねの上下端を支持する一対のばね受け体に貫通し、且つ前記コイルばね内に挿入した調節レバー軸は、前記固定枠体を貫通してその下面から下方に突出するように挿入し、この調節レバー軸の上端を、前記座板に対して回動自在に枢着する一方、前記固定枠体の上面のうち前記調節レバー軸が貫通する部分に、前記調節レバー軸の座板に対する枢着部から適宜距離だけずれた部位に中心点を有する円弧面を、当該円弧面が前記調節レバー軸の回動方向に延びるように形成して、この円弧面に、前記コイルばねの固定枠体に対する下部ばね受け体が着脱自在に嵌まり係合する凹所を、円周方向に沿った複数箇所に設けたものである。
【０００５】
【作    用】
この構成において、調節レバー軸を、座板に対する枢着部を中心にして回動することにより、この調節レバー軸と一緒に、コイルばね及びばね受け体も、前記調節レバー軸の座板に対する枢着部を中心として回動し、当該コイルばねに対する下部ばね受け体が固定枠体の円弧面に設けた凹所のうち任意の凹所に嵌まり係合するように回動することになる。
【０００６】
この場合において、前記固定枠体の円弧面を、前記調節レバー軸の座板に対する枢着部から適宜距離だけずれた部位に中心点を円弧面に形成したことにより、この円弧面に設けた各凹所と、前記調節レバー軸の座板に対する枢着部との間の距離は、各凹所の各々について相違するから、前記した調節レバー軸の回動によって、コイルばねに対する下部ばね受け体を任意の凹所に嵌まり係合することにより、前記座板の前傾動に対するコイルばねの弾力性を、任意に増減調節できると共に、その調節状態に固定することができるのである。
【０００７】
【発明の効果】
従って、本発明によると、座板の前傾動に対するばねの調節を、調節レバー軸の回動操作によって、至極簡単に、且つ、迅速に行うことができる効果を有する。
【０００８】
【実施例】
以下、本発明の実施例を、図１〜図３の図面について説明する。
この図において符号１は、椅子における脚体を示し、この脚体１から立設した支柱２の上端には、固定枠体３が固着され、この固定枠体３の上面には、上面に座板４を取付けて成る座板受け板５が、座板４が自在に前傾動するようにピン軸６を介して枢着されている。
【０００９】
また、符号７は、前記固定枠体３の上面側と前記座板受け板５の下面側との間のうち前記ピン軸６よりも前側の部分に、前記座板４の前傾動に対して抗するように介挿したコイルばねを示し、このコイルばね７の上端には上部ばね受け体８が、下端には下部ばね受け体９が各々配設されている。なお、前記固定枠体３の後端部上面には、前記座板受け板５の後端部が接当するゴム等の緩衝式のストッパー体１０が取付けられ、前記座板受け板５は、前記コイルばね７により、当該座板受け板５の後端部が常時前記ストッパー体１０に接当する状態に付勢されている。
【００１０】
符号１１は、調節レバー軸を示し、この調節レバー軸１１を、前記コイルばね７内に、当該調節レバー軸１１が前記固定枠体３を貫通してその下面から下方に突出するように挿入して、この調節レバー軸１１の上端１１ａを、前記座板受け板５の下面に造形したボス部５ａに対して回動自在に枢着する。
前記コイルばね７の上端における上部ばね受け体８を、前記座板受け板５におけるボス部５ａの外周面に、当該上部ばね受け体８が前記調節レバー軸１１の回動方向に自在に摺動し得るように接当する一方、前記固定枠体３の上面のうち前記調節レバー軸１１が貫通する部分に、前記調節レバー軸１１の座板受け板５に対する枢着部１１ａから適宜距離Ｌだけずれた部位に中心点Ｏを有する半径Ｒの円弧面１２を、当該円弧面１２が前記調節レバー軸１１の回動方向に延びるように形成して、この円弧面１２に、複数個の凹所１３を、円周方向に沿って適宜間隔で設けて、この凹所１３内に、前記コイルばね７の下端における下部ばね受け体９に設けた突起部９ａが着脱自在に嵌まり係合するように構成する。
【００１１】
この構成において、調節レバー軸１１を、座板受け板５に対する枢着部１１ａを中心にして、図に実線で示す状態から一点鎖線又は二点鎖線で示す状態に回動することにより、この調節レバー軸１１と一緒に、コイルばね７も、前記調節レバー軸１１の座板受け板５に対する枢着部１１ａを中心として、当該コイルばね７に対する下部ばね受け体９の突起部９ａが固定枠体３の円弧面１２に設けた各凹所１３のうち任意の凹所に嵌まり係合するように回動することになる。
【００１２】
この場合において、前記固定枠体３の円弧面１２を、前記調節レバー軸１１の座板受け板５に対する枢着部１１ａから適宜距離Ｌだけずれた部位に中心点Ｏを有する半径Ｒの円弧面に形成したことにより、この円弧面１２に設けた各凹所１３と、前記調節レバー軸１１の座板受け板５に対する枢着部１１ａとの間の距離は、各凹所１３の各々について相違するから、前記した調節レバー軸１１の回動によって、コイルばね７に対する下部ばね受け体９の突起９ａを任意の凹所１３に嵌まり係合することにより、前記座板４の前傾動に対するコイルばね７の弾力性を、任意に増減調節できると共に、その調節状態に固定することができるのである。
【００１３】
なお、前記実施例における座板受け板５を廃止して、座板４を固定枠体３に対して直接的に枢着するように構成しても良く、また、前記実施例のように、コイルばね７の上端に対する上部ばね受け体８を、前記座板受け板５におけるボス部５ａの外周面に、当該上部ばね受け体８が前記調節レバー軸１１の回動方向に自在に摺動し得るように接当すると言う構成にすることにより、調節レバー軸１１の回動操作をより軽い力で行うことができると共に、前記コイルばね７にこじれが発生することを防止できる利点がある。
【図面の簡単な説明】
【図１】本発明の実施例による椅子の正面図である。
【図２】図１の要部拡大図である。
【図３】図２のIII −III 視断面図である。
【符号の説明】
１                        脚体
２                        支柱
３                        固定枠体
４                        座板
５                        座板受け板
６                        ピン軸
７                        コイルばね
８，９                    ばね受け体
１１                      調節レバー軸
１２                      円弧面
１３                      凹所
【図１】
0003584997.tif 000002
【図２】
0003584997.tif 000003
【図３】
0003584997.tif 000004